【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
液体薬物の所定用量の送達装置（６０）であって、
装置は薬物送達状態または薬物非送達状態にあるように適合され；
−  液体薬物を含むように適合されるカートリッジ（６９）、およびカートリッジ内に密封してスライド可能に配置されるピストンを含むカートリッジハウジング（６６）、
−  外側表面にねじ切り部分（７９）が提供される近位部分、および装置の近位部分にねじ切りされたねじと適合するねじ切り部分（７８）を内側表面に有する、用量体積を設定するための用量設定部材（７０）を有する遠位部分、
−  装置が薬物非送達状態である場合に少なくとも１工程からエネルギーを蓄積するエネルギー蓄積部材（８６）、
−  カートリッジハウジング（６６）内にねじ込まれるように適合される細長くねじ切りされたプランジャーロッド（８４）であって、プランジャーロッドの近位端がピストンと接し、装置が薬物送達状態である時に、ねじ切リされたプランジャーロッドに所定の蓄積エネルギーが伝えられるように適合される場合、プランジャーロッドとピストンが所定の距離をカートリッジの近位端方向に移動し、カートリッジから液体の薬物の所定の用量を発射するプランジャーロッド、を含み、
装置はさらに、残用量表示手段を提供される装置の近位部分の外側表面に沿って直線的に用量設定部材（７０）が移動する場合、少なくとも１つの所定の段階からさらにエネルギーを蓄積するように適合されるエネルギー蓄積部材（９４）を含み、装置は短くなり、所定のさらなるエネルギーがねじ切りされたプランジャーロッドに伝えられるように適合され、該プランジャーロッドにはトルクが与えられ、装置が薬物送達状態である場合にカートリッジの近位端方向へ所定の距離をピストンとプランジャーロッドが移動することを助ける、液体薬物の所定用量の送達装置。
【請求項２】
カートリッジ中の残りの薬物の量が、装置の近位部分の残用量表示手段に対する用量設定部材（７０）近位端の現在位置によって示される、請求項１記載の装置。
【請求項３】
用量が設定され送達されるごとに、装置がより短くなる、請求項１または２記載の装置。
【請求項４】
細長いねじ切リプランジャーロッド（８４）が中空の細長いねじ切リプランジャーロッドであり、その中空部分の内側に、ヘリカルプランジャーロッドばねの形のエネルギー蓄積部材（８６）が提供される、請求項１から３のいずれか１項記載の装置。
【請求項５】
さらなるエネルギー蓄積部材（９４）がたとえばぜんまいばねであるサーボドライブスプリングであり、後部カバー（７０）に接続されるために外側保持手段が提供され、収容部材（９３）中に収容され、収容部材（９３）の内側に内側突出手段（９２）が提供され、これはプランジャーロッド上の長さ方向に延ばされた手段（９１）と係合し、装置が薬物送達状態である場合にプランジャーロッドの長さ方向の軸に沿って収容部材（９３）が移動できるようにする、請求項１から４のいずれか１項記載の装置。
【請求項６】
プランジャーロッド（８４）がハンドル（８８）と係合しその内部に収容されるように適合され、該ハンドルはカートリッジハウジングの遠位部または遠位端で装置（６０）の内側に提供され、プランジャーロッドと係合するハンドルの内側部分に、プランジャーロッド上を長さ方向に延びる手段（９１）と係合する手段（９２）が提供され、装置が薬物送達状態である場合にプランジャーロッドの長さ方向の軸に沿ってハンドルが移動できるようにする、請求項１から５のいずれか１項記載の装置。
【請求項７】
ハンドル（８８）または収容部材（９３）は、装置が薬物送達状態である時は回転状態であり、薬物非送達状態である時は非回転状態であるように適合され、ハンドル（８８）には突出歯（９０）が提供され、該歯は注射針のシールド（６３）の停止手段（６５）またはその伸長部と係合し、用量設定部材（７０）を設定体積用量位置で保持し、注射針シールド（６３）を送達装置の遠位端方向に押すことによって、停止手段（６５）は係合から解放され、ばね（８６）からの力が加えられるプランジャーロッドがカートリッジハウジング（６６）を通り、カートリッジ（６９）内にねじにより進み、設定体積用量を送達する、請求項１から６のいずれか１項記載の装置。
【請求項８】
薬物送達状態の装置が設定用量全体が送達される前に薬物非送達状態に設定できるように適合され、１回又は複数回、プランジャーロッドはカートリッジの近位端方向への動きを止め、その後装置は薬物送達状態に設定できるように適合され、その際プランジャーロッドは装置の近位端方向に所定距離の移動を継続し、設定用量を完了する、請求項１から７のいずれか１項記載の装置。
【請求項９】
患者がそれぞれ口又は鼻に配置するマウスピース又はノーズピースの形状の薬物投与部材と連結されるように装置が適合され、送達装置が薬物送達状態にある場合、患者により予定用量の薬物が吸入されることを特徴とする、請求項１から８のいずれか１項記載の装置。
【請求項１０】
ノズルの形状の薬物投与部材と連結されるように装置が適合され、送達装置が薬物送達状態にある場合、患者の眼又は皮膚に予定用量の薬物が噴霧されることを特徴とする、請求項１から９のいずれか１項記載の装置。
【請求項１１】
送達装置が薬物送達状態にある場合、少なくとも一滴の形状で予定用量の薬物を送達する部材形状の薬物投与部材と連結されるように装置が適合されることを特徴とする、請求項１から１０のいずれか１項記載の装置。
【請求項１２】
送達装置が薬物送達状態にある場合、予定用量薬物の患者身体への注入用の注射針の形状の薬物投与部材と連結されるように装置が適合されることを特徴とする、請求項１から１１のいずれか１項記載の装置。
【手続補正２】
【補正対象書類名】明細書
【補正対象項目名】００２１
【補正方法】変更
【補正の内容】
【００２１】
本発明の一態様においては、液体薬物の所定用量の送達装置であって、
装置は薬物送達状態または薬物非送達状態にあるように適合され；
−  液体薬物を含むように適合されるカートリッジ、およびカートリッジ内に密封してスライド可能に配置されるピストンを含むカートリッジハウジング、
−  外側表面にねじ切り部分が提供される近位部分、および装置の近位部分にねじ切りされたねじと適合するねじ切り部分を内側表面に有する、用量体積を設定するための用量設定部材を有する遠位部分、
−  装置が薬物非送達状態である場合に少なくとも１工程からエネルギーを蓄積するエネルギー蓄積部材、
−  カートリッジハウジング内にねじ込まれるように適合される細長くねじ切りされたプランジャーロッドであって、プランジャーロッドの近位端がピストンと接し、装置が薬物送達状態である時に、ねじ切リされたプランジャーロッドに所定の蓄積エネルギーが伝えられるように適合される場合、プランジャーロッドとピストンが所定の距離をカートリッジの近位端方向に移動し、カートリッジから液体の薬物の所定の用量を発射するプランジャーロッド、を含み、
装置はさらに、残用量表示手段を提供される装置の近位部分の外側表面に沿って直線的に用量設定部材が移動する場合、少なくとも１つの所定の段階からさらにエネルギーを蓄積するように適合されるエネルギー蓄積部材を含み、装置は短くなり、所定のさらなるエネルギーがねじ切りされたプランジャーロッドに伝えられるように適合され、該プランジャーロッドにはトルクが与えられ、装置が薬物送達状態である場合にカートリッジの近位端方向へ所定の距離をピストンとプランジャーロッドが移動することを助け、ねじ成分の溝のピッチまたはねじのピッチが細かいほど、高用量を送達する場合により高い正確度が達成される。